(57)【要約】【課題】キャビン内のオペレータが注油操作を行い易い注油装置を備えたコンバインを提供する。【解決手段】コンバイン１は、刈取部１０と、キャビン７０と、注油装置と、を備える。刈取部１０は、穀稈を刈り取る。キャビン７０の内側には、オペレータにより操作される運転操作部７２が配置される。注油装置は、少なくとも刈取部１０に潤滑油を注油する。注油装置は、注油経路と、注油ポンプと、注油スイッチ１０６と、切換コック１０８と、を備える。注油経路は、潤滑油を貯留する注油タンク１０２から注油部位へ至る潤滑油の経路である。注油ポンプは、注油経路に潤滑油を供給する。注油スイッチ１０６は、注油ポンプを作動させる。切換コック１０８は、注油経路の切換を行う。注油スイッチ１０６は、キャビン７０の内側に配置される。切換コック１０８は、キャビン７０の外側に配置される。【選択図】図２
2016067246.tif 000002
【特許請求の範囲】
【請求項１】
穀稈を刈り取る刈取部と、
オペレータにより操作される運転操作部が内側に配置されたキャビンと、
少なくとも前記刈取部に潤滑油を注油する注油装置と、
を備えるコンバインであって、
前記注油装置は、
潤滑油を貯留する注油タンクから注油部位へ至る潤滑油の経路である注油経路と、
前記注油経路に潤滑油を供給する注油ポンプと、
前記注油ポンプを作動させる注油スイッチと、
前記注油経路の切換を行う切換コックと、
を備え、
前記注油スイッチは、前記キャビンの内側に配置され、
前記切換コックは、前記キャビンの外側に配置されることを特徴とするコンバイン。
【請求項２】
請求項１に記載のコンバインであって、
前記切換コックは、前記キャビンの左方又は右方の近傍に配置されていることを特徴とするコンバイン。
【請求項３】
請求項２に記載のコンバインであって、
前記キャビン内に運転座席が設置され、
前記注油スイッチは、前記キャビン内部の前記運転座席の前方に配置されていることを特徴とするコンバイン。
【請求項４】
請求項１から３までの何れか一項に記載のコンバインであって、
前記切換コックのポートは、搬送装置における搬送体の移動軌跡の直上方に配置されていることを特徴とするコンバイン。
【発明の詳細な説明】
【技術分野】
【０００１】
本発明は、注油装置を備えたコンバインに関する。
【背景技術】
【０００２】
従来から、コンバインに注油装置を備えることで、穀稈を刈り取る刈取刃や、穀稈を搬送する搬送部など、摩耗し易い箇所に容易に注油することができる構成が知られている。注油装置は注油スイッチを備えており、注油作業はこの注油スイッチを押すことにより開始される。
【０００３】
このような注油装置において、注油経路を切り換えるための切換コックが備えられたものがある。これにより、潤滑が特に必要な部分に重点的に注油を行いたいオペレータの要請に応えることができる。また、潤滑油の量を抑えながら、注油を効果的に行うことができる。
【０００４】
従来、注油スイッチと、切換コックと、は刈取部に配置されており、刈取部の上下に伴い、注油スイッチと、切換コックと、の位置が変化するため、操作がしにくいという問題点があった。そこで、特許文献１及び２は、注油スイッチ及び切換コックを操作し易い位置に配置する構成を開示している。
【０００５】
特許文献１は、刈取装置と脱穀装置への注油方向を切り換える切換バルブを動かない位置に設けて、操作性を向上させたコンバインの注油装置の構成を開示する。特許文献１の注油装置は、フロア仕様のコンバインの車台の上方に操作部を有し、注油スイッチと、切換コックと、を操作部またはその近傍の不動部分に設けることにより、注油スイッチと、切換コックの操作をしやすい構成にしている。
【０００６】
特許文献２は、刈取収穫機に搭乗した操縦者が着座したまま容易に注油を行なうことができる注油装置の構成を開示している。特許文献２の注油装置は、運転部の運転座席近くの横側部に位置する刈取搬送部の固定部に操作部を配設し、当該操作部を操作することで、注油作業ができる。
【先行技術文献】
【特許文献】
【０００７】
【特許文献１】特開２０００−２１７４１５号公報
【特許文献２】特開２００８−００５７１０号公報
【発明の概要】
【発明が解決しようとする課題】
【０００８】
しかし、特許文献１及び２は、注油スイッチと、切換コックと、が互いに近い位置に配置されているため、オペレータが両手で同時に操作しようとすると身体が窮屈になってしまうと考えられる。一方で、片手だけで注油スイッチと切換コックを同時に操作する場合、状況に応じたきめ細かい操作を行うことが難しい。
【０００９】
また、特許文献２はフロア仕様のコンバインであるが、キャビン仕様のコンバインに特許文献２の操作部を適用した場合に、キャビンの窓から手を出さないと、キャビンの側方に配置された操作部に届かないことになる。特に、オペレータがキャビン側方の窓から顔を出しながら操作したい場合、狭い窓から顔とともに両手を出すのは困難であるので、事実上片手だけの操作になり、きめ細かい操作を行うことが難しかった。
【００１０】
本発明は以上の事情に鑑みてされたものであり、その目的は、キャビン内のオペレータが注油操作を行い易い注油装置を備えたコンバインを提供することにある。
【課題を解決するための手段及び効果】
【００１１】
本発明の解決しようとする課題は以上の如くであり、次にこの課題を解決するための手段とその効果を説明する。
【００１２】
本発明の観点によれば、以下の構成のコンバインが提供される。即ち、このコンバインは、刈取部と、キャビンと、注油装置と、を備える。前記刈取部は、穀稈を刈り取る。前記キャビンの内側には、オペレータにより操作される運転操作部が配置される。前記注油装置は、少なくとも前記刈取部に潤滑油を注油する。前記注油装置は、注油経路と、注油ポンプと、注油スイッチと、切換コックと、を備える。前記注油経路は、潤滑油を貯留する注油タンクから注油部位へ至る潤滑油の経路である。前記注油ポンプは、前記注油経路に潤滑油を供給する。前記注油スイッチは、前記注油ポンプを作動させる。前記切換コックは、前記注油経路の切換を行う。前記注油スイッチは、前記キャビンの内側に配置される。前記切換コックは、前記キャビンの外側に配置される。
【００１３】
これにより、オペレータは、一方の手でキャビンの内側の注油スイッチを操作し、他方の手はキャビンから手を伸ばして切換コックを操作することができる。このように操作を２本の手で分担することで、オペレータは楽な姿勢で、きめ細かい注油操作を容易に行うことができる。また、切換コックがキャビンの外側に配置されるため、キャビン内部に注油装置の配管を行う必要がなくなり、注油装置の配管から潤滑油が漏れても、キャビンの内部が潤滑油で汚れることを防止できる。
【００１４】
前記のコンバインにおいては、前記切換コックは、前記キャビンの左方又は右方の近傍に配置されていることが好ましい。
【００１５】
これにより、オペレータがキャビン内部から左右どちらかに手を伸ばすことで切換コックを容易に操作することができる。
【００１６】
前記のコンバインにおいては、以下の構成とすることが好ましい。即ち、前記キャビン内に運転座席が設置される。前記注油スイッチは、前記キャビン内部の前記運転座席の前方に配置されている。
【００１７】
これにより、オペレータは、キャビン内部の運転座席に座った状態で前方に手を伸ばすことで、注油スイッチを容易に操作することができる。
【００１８】
前記のコンバインにおいては、前記切換コックのポートは、搬送装置における搬送体の移動軌跡の直上方に配置されていることが好ましい。
【００１９】
これにより、切換コックのポートから何らかの原因で潤滑油が漏洩して落下しても、搬送装置に掛かるため、潤滑油で地面を直接汚染することを防止できる。
【図面の簡単な説明】
【００２０】
【図１】本発明の一実施形態に係るコンバインの構成を示す側面図。
【図２】搬送装置及びその周辺の構成を示す平面図。
【図３】注油装置の注油経路を示した概略図。
【図４】注油装置に備えられた切換コックユニットの拡大図。
【発明を実施するための形態】
【００２１】
次に、図面を参照して本発明の実施の形態を説明する。図１は本発明の一実施形態に係るコンバイン１の構成を示す側面図である。図２は、コンバイン１に備えられた搬送装置８０及びその周辺の構成を示す平面図である。なお、以下の説明で「左」及び「右」というときは、コンバイン１が前進する方向に向かって左及び右を意味するものとする。
【００２２】
本実施形態のコンバイン１は、いわゆるキャビン仕様の自脱型コンバインとして構成されている。図１に示すように、本実施形態のコンバイン１においては、稲、麦などの作物の穀稈２を刈り取るための刈取部１０が機体本体の前方に配置されている。また、コンバイン１の機体の下部には、機体を走行させるためのクローラ部２０が設けられている。
【００２３】
刈取部１０の後方であって、コンバイン１の左側には、刈取部１０で刈り取った穀稈２を脱穀するための脱穀装置３０と、当該脱穀装置３０で脱穀された穀粒を選別して取り出す選別装置４０と、が設けられている。
【００２４】
コンバイン１の上部右側には、穀粒を貯留するためのグレンタンク５０が設けられている。選別装置４０で選別された穀粒は、図略のコンベア機構により、グレンタンク５０まで搬送され、当該グレンタンク５０に貯留される。また、コンバイン１は、グレンタンク５０内の穀粒を外部に排出するための排出オーガ６０を備えている。
【００２５】
グレンタンク５０の前方には、オペレータが搭乗するためのキャビン７０が配置されている。このキャビン７０の内部には、ステアリングハンドルなどの運転操作部７２、及びオペレータが座るための運転座席７１などが設けられている。オペレータは、運転操作部７２を操作することにより、コンバイン１の刈取作業や走行など各種の指示を行うことができる。
【００２６】
キャビン７０の左側の側面には、透明な窓７５が設けられている。運転座席７１に座るオペレータは、刈取部１０で刈り取って脱穀装置３０まで送られる穀稈２の様子等を、窓７５から確認することができる。また、この窓７５は開閉可能に構成されており、窓７５を開けることで、オペレータは顔や手をキャビン７０から左方へ出すことができるようになっている。
【００２７】
刈取部１０は、複数（本実施形態では、５つ）の分草板１１と、引起装置１２と、刈取刃８５と、を備えている。本実施形態のコンバイン１が有する刈取部１０は、４条分の穀稈２を同時に刈り取ることができる。
【００２８】
複数の分草板１１は、刈取部１０の前下部において、機体の左右方向に並べて設けられている。分草板１１は、穀稈２と穀稈２との間に差し込まれることにより、穀稈２を刈り取るべき幅を規定することができる。分草板１１は、当該分草板１１によって分けられた穀稈２を引起装置１２へ案内する。引起装置１２は、作物を整流するための図示しない引起タインを備える引起ケース１２ａを備えており、倒伏した作物を拾い上げたり、穂先を一定の幅に収束させたりする引起し作業を行うことができる。図２に示すように、引起ケース１２ａの後方には、スターホイル１３と、掻込ベルト１４と、が配置されている。スターホイル１３及び掻込ベルト１４は、引起ケース１２ａによって起立させられた未刈穀稈の株元側を後方に掻き込む。そして、掻き込まれた未刈穀稈の株元側が、刈取刃８５によって切断される。なお、以下の説明では、この刈り取られた穀稈を刈取穀稈と呼ぶことがある。
【００２９】
次に、刈取穀稈を刈取部１０から脱穀装置３０まで搬送する搬送装置８０の構成を、図２を主に参照して説明する。
【００３０】
図２に示すように、搬送装置８０は、引起装置１２と、フィードチェーン６の前端部と、の間に配置される。この搬送装置８０は、下部搬送装置８１と、上部搬送装置８２と、縦搬送装置８３と、中継搬送装置８４等を備えている。
【００３１】
下部搬送装置８１は、穀稈２を搬送するためのチェーンを備えている。下部搬送装置８１は左右１対で配置されており、右側の下部搬送装置８１Ｒは、コンバイン１が刈り取る４条のうち、右２条分の穀稈２の株元を左斜め後方に搬送する。左側の下部搬送装置８１Ｌは、左２条分の穀稈２の株元を右斜め後方に搬送する。
【００３２】
縦搬送装置８３は、穀稈２を搬送するためのチェーンを備えている。縦搬送装置８３は、下部搬送装置８１Ｌ，８１Ｒによってそれぞれ搬送されて合流した刈取穀稈の株元を受け継ぎ、この穀稈２を、後ろ斜め上方にあるフィードチェーン６の前端へ向けて搬送する。
【００３３】
縦搬送装置８３に備えられたチェーンの外周側と対面するようにして、挟持ガイド部材としての縦搬送ガイド体８６が設けられている。縦搬送ガイド体８６は、４条分の刈取穀稈の株元を縦搬送装置８３との間で挟持することができる。
【００３４】
中継搬送装置８４は、搬送のためのチェーンを備え、縦搬送装置８３とフィードチェーン６との間で刈取穀稈の株元側の搬送を中継する。
【００３５】
上部搬送装置８２は、刈取穀稈を搬送するための搬送体であるタインを備えている。なお、図２の符号８２は、タインの先端の軌跡を鎖線で示したものである。上部搬送装置８２は、４条分の刈取穀稈の穂先部を寄せ集めながら、前記タインによって左斜め後方に搬送する。
【００３６】
以上の構成で、縦搬送装置８３及び縦搬送ガイド体８６によって横倒しの姿勢で搬送されてきた４条分の刈取穀稈の株元側は、中継搬送装置８４を介して、フィードチェーン６の送り始端側に受け継がれる。そして、フィードチェーン６の搬送により、刈取穀稈の穂先側が脱穀装置３０に送られ、脱穀される。
【００３７】
次に、図３及び図４を主に参照して、注油装置１０１の構成を説明する。図３は、注油装置１０１における注油経路を示した概略図である。図４は、注油装置１０１に備えられた切換コックユニット１０７の拡大図である。
【００３８】
注油装置１０１は、注油タンク１０２と、注油フィルタ１０３と、注油ポンプ１０５と、注油スイッチ１０６と、切換コックユニット１０７と、を備える。
【００３９】
注油タンク１０２は、注油作業に使用する潤滑油を所定量貯留可能に構成されている。この注油タンク１０２は、図２に示すように刈取部１０の左右一側の下部（右下部）に配置されており、図略のサイドカバーによって覆われている。注油タンク１０２には図示しない補給口が形成されており、この補給口を介して潤滑油を適宜補給することができる。
【００４０】
注油フィルタ１０３は、内部に網目状に構成されたストレーナを備えたスクリーン式のオイルフィルタである。図３に示すように、注油フィルタ１０３は、注油タンク１０２とパイプ２０１を介して接続されるとともに、注油ポンプ１０５とパイプ２０２を介して接続されている。注油フィルタ１０３は、注油タンク１０２から送られてくる潤滑油に含まれる不純物を取り除くことで、異物の噛込み等の注油ポンプ１０５の故障を防止することができる。なお、注油フィルタ１０３として、内蔵式、カートリッジ式、スピンオン式、磁力式等、他の形式のフィルタを使用しても良い。
【００４１】
注油ポンプ１０５は、注油タンク１０２から潤滑油を汲み上げる電動ポンプとして構成されている。注油ポンプ１０５の動作／停止は、注油スイッチ１０６によって操作できる構成となっており、注油スイッチ１０６は、キャビン７０内の運転操作部７２に備えられている。注油ポンプ１０５と、注油スイッチ１０６と、は有線又は無線の電気的な伝送路２１０によって接続されており、注油スイッチ１０６から注油ポンプ１０５へ制御信号を送ることができる。注油ポンプ１０５から吐出された潤滑油は、パイプ２０３に送られた後に分岐し、パイプ２０４，２０５を介して切換コック１０８，１０９に送られる。
【００４２】
切換コックユニット１０７は、互いに近傍に配置された２つの切換コック１０８，１０９を備える。切換コックユニット１０７はキャビン７０の左方の近傍に配置されており、キャビン７０内のオペレータは窓７５を開けて手を出すことで切換コックユニット１０７を操作することができる（ただし、図２では、キャビンルーフや窓７５等の図示が省略されている）。切換コック１０８，１０９は、手動式のコックとして構成されており、コックを回すことで注油経路を変更することができる。パイプ２０５から送られてきた潤滑油は、パイプ２０６及びパイプ２０７のうち、切換コック１０８によって選択された一方に送られる。また、パイプ２０４から送られてきた潤滑油は、パイプ２０８及びパイプ２０９のうち、切換コック１０９によって選択された一方に送られる。ただし、切換コック１０８，１０９を中間位置に回すことで、潤滑油を一方だけでなく両方に分配して送ることもできる。
【００４３】
パイプ２０６，２０７，２０８，２０９の先端部には、図示しない注油口が設置されている。これにより、送られてきた潤滑油によって注油作業を行うことができる。なお、パイプ２０６に送られた潤滑油は、引起装置１２に注油され、パイプ２０７に送られた潤滑油は、下部搬送装置８１と、上部搬送装置８２と、縦搬送装置８３と、中継搬送装置８４と、に注油される。また、パイプ２０８に送られた潤滑油は、刈取刃８５に注油され、パイプ２０９に送られた潤滑油は、脱穀装置３０に注油される。
【００４４】
以上の構成で、運転操作部７２に設置された注油スイッチ１０６によって注油の開始及び停止を操作することができる。また、パイプ２０１〜２０９によって分岐状の注油経路が構成されており、切換コックユニット１０７の切換コック１０８，１０９を操作することによって注油経路（注油先）を変更することができる。
【００４５】
本実施形態では図２に示すように、注油スイッチ１０６は、キャビン７０の内側に備えられた運転操作部７２に配置されている。一方、切換コックユニット１０７は、キャビン７０の外側（左方）に配置されている。このレイアウトにより、オペレータは、図２の鎖線で示すように、右手で注油スイッチ１０６を操作し、左手は窓から出して切換コックユニット１０７を操作することができる。従って、オペレータは、身体が窮屈にならない楽な姿勢で、かつ、左手と右手で分担して、注油に関するきめ細かい操作を容易に行うことができる。また、オペレータがキャビン７０側方の窓から左手とともに顔を出して注油箇所等を確認しながら注油操作を行うことも容易になる。
【００４６】
また、切換コックユニット１０７はキャビン７０の外側に配置されている。従って、キャビン７０の内部にパイプを設置する必要がなくなり、パイプから潤滑油が漏れても、キャビン７０の内部が潤滑油で汚れることを防止できる。
【００４７】
図４に示すように、それぞれの切換コック１０８，１０９の各ポートには、パイプ２０４〜２０９が接続された状態で固定具によって固定されている。この固定具は、パイプの外側に配置される接続バンド３０１と、接続バンド３０１を締め付けるボルト３０２と、を備える。
【００４８】
ところで、上記の固定具においてボルト３０２に緩みが生じる等の何らかの原因で、切換コック１０８，１０９の各ポートから少量の潤滑油が漏洩することが考えられる。また、切換コック１０８，１０９のポートから空気が侵入することでエア噛みが発生した場合、エア抜きのためにパイプ２０４〜２０９を外さなければならず、このときに各ポートから油が漏れ出すことがある。この点、本実施形態では、図２に示すように、上部搬送装置８２において刈取穀稈を搬送するタインが切換コックユニット１０７の直下方を通過するように、当該切換コックユニット１０７が配置されている。従って、切換コックユニット１０７の部分で漏洩した油が滴下しても上部搬送装置８２のタインに掛かることになるため、圃場等の地面を潤滑油で直接汚染しない構成が実現されている。
【００４９】
以上に説明したように、本実施形態のコンバイン１は、刈取部１０と、キャビン７０と、注油装置１０１と、を備える。刈取部１０は、穀稈を刈り取る。キャビン７０の内側には、オペレータにより操作される運転操作部７２が配置される。注油装置１０１は、刈取部１０や脱穀装置３０に潤滑油を注油する。注油装置１０１は、パイプ２０１〜２０９からなる注油経路と、注油ポンプ１０５と、注油スイッチ１０６と、切換コック１０８，１０９と、を備える。注油経路は、潤滑油を貯留する注油タンク１０２から注油部位へ至る潤滑油の経路である。注油ポンプ１０５は、注油経路に潤滑油を供給する。注油スイッチ１０６は、注油ポンプ１０５を作動させる。切換コック１０８，１０９は、注油経路の切換を行う。注油スイッチ１０６は、キャビン７０の内側に配置される。切換コック１０８，１０９は、キャビン７０の外側に配置される。
【００５０】
これにより、オペレータは、一方の手でキャビン７０内の注油スイッチ１０６を操作し、他方の手はキャビン７０から外へ伸ばして切換コック１０８，１０９を操作することができる。このように操作を２本の手で分担することで、オペレータは楽な姿勢で、きめ細かい注油操作を容易に行うことができる。また、切換コックユニット１０７がキャビン７０の外側に配置されるため、キャビン７０の内部に潤滑油を送るための配管を行う必要がなくなり、注油装置１０１の配管から潤滑油が漏れても、キャビン７０の内部が潤滑油で汚れることを防止できる。
【００５１】
また、本実施形態のコンバイン１においては、切換コック１０８，１０９は、キャビン７０の左方の近傍に配置されている。
【００５２】
これにより、オペレータがキャビン７０の内側から左方向に手を伸ばすことで切換コック１０８，１０９を容易に操作することができる。
【００５３】
また、本実施形態のコンバイン１においては、キャビン７０の内部に運転座席７１が設置される。注油スイッチ１０６は、運転座席７１より前側に配置されている。
【００５４】
これにより、オペレータは、キャビン７０の内部の運転座席７１に座った状態で前方に手を伸ばすことで、注油スイッチ１０６を容易に操作することができる。
【００５５】
また、本実施形態のコンバイン１においては、切換コック１０８，１０９の排出口は、上部搬送装置８２の搬送体の移動軌跡の直上方に配置されている。
【００５６】
これにより、切換コック１０８，１０９のポートから何らかの原因で潤滑油が漏洩して落下しても、上部搬送装置８２に掛かるため、潤滑油で地面を直接汚染することを防止できる。
【００５７】
以上に本発明の好適な実施の形態を説明したが、上記の構成は例えば以下のように変更することができる。
【００５８】
上記の実施形態では、２つの切換コック１０８，１０９によって４つの注油経路から２つの注油経路を選択できる構成となっているが、１つの切換コックにより、４つの注油経路から１つの注油経路を選択する構成でも良い。また、３つ以上の切換コックを備えても良い。
【００５９】
キャビン７０を機体右部に配置する代わりに、機体左部に配置しても良い。この場合、切換コック１０８，１０９は、キャビン７０の左方ではなく右方に配置することが好ましい。
【００６０】
上記の実施形態においては、注油装置１０１が、引起装置１２、脱穀装置３０、下部搬送装置８１、上部搬送装置８２、縦搬送装置８３、中継搬送装置８４、及び刈取刃８５に注油するように構成されているが、上記のうち一部には注油しない構成としたり、他の部位に注油する構成としたりすることもできる。
【００６１】
切換コックユニット１０７（切換コック１０８，１０９）の位置は、上部搬送装置８２でなく、他の搬送装置の搬送体の移動軌跡の直上方になるように変更することもできる。
【符号の説明】
【００６２】
１  コンバイン
１０  刈取部
１２  引起装置
３０  脱穀装置
７０  キャビン
７１  運転座席
７２  運転操作部
８０  搬送装置
８５  刈取刃
１０１  注油装置
１０５  注油ポンプ
１０６  注油スイッチ
１０７  切換コックユニット
１０８，１０９  切換コック
【図１】
2016067246.tif 000003
【図２】
2016067246.tif 000004
【図３】
2016067246.tif 000005
【図４】
2016067246.tif 000006